(57)【要約】【課題】  自己係合可能な通信ケーブルであって、前記通信ケーブル外被面にループ状に起毛された係合素子とフック状に起毛された係合素子とが混在して形成されている通信ケーブルを提供することを目的とする。【解決手段】  本発明は、自己係合可能な通信ケーブル１００であって、前記通信ケーブル外被面３０にループ状に起毛された係合素子１０とフック状に起毛された係合素子２０とが混在して形成されていることを特徴とする通信ケーブル１００により上記の課題を解決した。【選択図】  図１
2015118847.tif 000002
【特許請求の範囲】
【請求項１】
自己係合可能な通信ケーブルであって、通信ケーブル外被面にループ状に起毛された係合素子とフック状に起毛された係合素子とが混在して形成されていることを特徴とする通信ケーブル。
【請求項２】
係合素子は、通信ケーブル外被面の周方向に沿って所定間隔でループ状に起毛された領域とフック状に起毛された領域とが交互に形成されていることを特徴とする通信ケーブル。
【請求項３】
係合素子は、通信ケーブル外被面の長手方向に沿って所定間隔でループ状に起毛された領域とフック状に起毛された領域とが交互に形成されていることを特徴とする通信ケーブル。
【請求項４】
係合素子は、フックとループが混在した面ファスナーを通信ケーブル外被面に巻き付けて接合し形成されていることを特徴とする通信ケーブル。
【請求項５】
前記通信ケーブルは、ＬＡＮケーブルであることを特徴とする請求項１〜４何れか一項記載の通信ケーブル。
【発明の詳細な説明】
【技術分野】
【０００１】
本発明は、通信ケーブルに関し、さらに詳しくは通信ケーブル外被面にループ状に起毛された係合素子とフック状に起毛された係合素子とが混在して形成されている通信ケーブルに関するものである。
【背景技術】
【０００２】
ＬＡＮ（Ｌｏｃａｌ  Ａｒｅａ  Ｎｅｔｗｏｒｋ）に代表される通信ケーブルは、その構造において、中心導体を絶縁体で被覆した電線を少なくとも２本の対撚線とするケーブルを複数本束ね、さらに、緩衝層で中心方向に押しつぶすようにして外被の中に包み込むようになっている（例えば、特許文献１参照）。
【０００３】
通信ケーブルの種類によっては前記緩衝層の周りをシールド材で覆い、その外側に外被を形成するものもある。このように通信ケーブルは、中心導体を様々な絶縁材料で覆う構造となっているので一般に柔軟性に欠けている。従って通信ケーブルは一般的に結束しにくい性質がある。
【０００４】
データセンターのように通信装置が多数並べられ、狭い範囲に複数の通信ケーブルが配線される環境においては、安全面や効率化の点から通信ケーブルの整理が重要となる。現在流通している通信ケーブルの整理を行う場合、テープやガイドを別途用意して一定間隔おきに束ねてまとめる必要がある。
【先行技術文献】
【特許文献】
【０００５】
【特許文献１】特開２００３−３３８２２５号公報
【発明の概要】
【発明が解決しようとする課題】
【０００６】
そこで本発明は、狭い作業スペースであっても通信ケーブルの整理を容易に行える通信ケーブルを提供することを目的とする。
【課題を解決するための手段】
【０００７】
本発明に係わる通信ケーブルは、以下の各発明により上記課題を解決した。なお、以下の各発明に付した括弧内の符号は、図面に付した符号と対応している。
【０００８】
本発明に係わる第１の発明は、自己係合可能な通信ケーブル（１００）であって、通信ケーブル外被面（３０）にループ状に起毛された係合素子（１０）とフック状に起毛された係合素子（２０）とが混在して形成されていることを特徴とする通信ケーブル（１００）である。
【０００９】
本発明に係わる第２の発明は、係合素子は、前記通信ケーブル外被面（３０）の周方向に沿って所定間隔でループ状に起毛された領域とフック状に起毛された領域とが交互に形成されていることを特徴とする通信ケーブル（１００）である。
【００１０】
本発明に係わる第３の発明は、係合素子は、通信ケーブル外被面（３０）の長手方向に沿って所定間隔でループ状に起毛された領域とフック状に起毛された領域とが交互に形成されていることを特徴とする通信ケーブル（１００）である。
【００１１】
本発明に係わる第４の発明は、係合素子は、フックとループが混在した面ファスナーを通信ケーブル外被面（３０）に巻き付けて接合し形成されていることを特徴とする通信ケーブルである。
【００１２】
本発明に係わる第５の発明は、第１〜第４の発明のいずれか１つの発明において、前記通信ケーブルは、ＬＡＮケーブルであることを特徴とする通信ケーブルである。
【発明の効果】
【００１３】
一般的に、通常、通信ケーブルを折畳んで結束すると通信ケーブルの電気特性が著しく低下したり、折畳んだ箇所が破損したり、狭い場所での作業性が悪いといった影響が生じる。本発明によれば、外被面に係合と離脱が自在に行える係合素子を形成することにより、通信ケーブルを折畳むことなく自己係合することが可能となり通信ケーブルの電気特性を維持でき、通信ケーブルを破損することもなく束ねて整理することができ、狭い場所での作業性も向上させることができるという大きな効果がある。
【図面の簡単な説明】
【００１４】
【図１】本実施形態に係わる通信ケーブルの断面図の一例である。
【発明を実施するための形態】
【００１５】
次に、本発明の実施形態について、図面を参照して詳述する。
【００１６】
図１は、本実施形態に係わる通信ケーブルの断面図の一例である。
図１において、１０はループ状に起毛された係合素子、２０はフック状に起毛された係合素子、３０は外被面、４０は緩衝層、５０は対撚線、６０は絶縁体、７０は中心導体を示している。
【００１７】
ループ状に起毛された係合素子１０は、基材の表面に合成繊維の単繊維糸からなるループ状に形成されたもので、フック状に起毛された係合素子２０は、前記基材の表面に合成繊維の単繊維糸からなるフック状に形成されたもので、通信ケーブル外被面に前記ループ状に起毛された係合素子１０と前記フック状に起毛された係合素子２０とが混在して設けられている。そのため、通信ケーブルそれ自体が自己係合が可能となり、通信ケーブルを簡単に束ねることができる。
【００１８】
ループ状に起毛された係合素子１０あるいはフック状に起毛された係合素子２０は単繊維糸ではなく多繊維糸から形成されていてもよい。多繊維糸からなる係合素子は、フックとループが係合した場合に、単繊維糸の場合よりも互いに強く係合することが可能となり、係合した通信ケーブルどうしが外れ難くなる。
【００１９】
係合素子に用いられる合成繊維としては、例えば、ナイロンを含むポリアミド、熱硬化性材料、熱可塑性材料等を用いることができるが、これらの材料に限定されるものではない。ビッグデータ等を扱うデータセンターなどでは通信ケーブルが太くなる。この場合はループ状に起毛された係合素子１０とフック状に起毛された係合素子２０は、金属材料を使用することも可能である。
【００２０】
ループ状に起毛された係合素子１０は、前記材料の単繊維糸あるいは多繊維糸のループから作製され、熱処理によって最終形体に形成される。フック状に起毛された係合素子２０は、ループ状に起毛された係合素子１０をフック状に切断して形成する。
【００２１】
通信ケーブル外被面の周方向に沿って３０〜２００個／ｃｍ２の密度でループ状に起毛された係合素子１０とフック状に起毛された係合素子２０が交互に形成されていることが好ましい。フック状の係合素子の高さは１．５ｍｍ〜４．０ｍｍが好ましく、ループ状の係合素子の高さは１．７ｍｍ〜４．２ｍｍが好ましい。ループ状に起毛された係合素子１０とフック状に起毛された係合素子２０とがある一定の領域を形成し、周方向に沿って格子状に交互に形成されていてもよい。
【００２２】
通信ケーブル外被面の長手方向に沿って３０〜２００個／ｃｍ２の密度でループ状に起毛された係合素子１０とフック状に起毛された係合素子２０が交互に形成されていることが好ましい。フック状の係合素子の高さは１．５ｍｍ〜４．０ｍｍが好ましく、ループ状の係合素子の高さは１．７ｍｍ〜４．２ｍｍが好ましい。ループ状に起毛された係合素子１０とフック状に起毛された係合素子２０とがある一定の領域を形成し、長手方向に沿って格子状あるいは縞状に交互に形成されていてもよい。
【００２３】
フックとループが混在した面ファスナーは、通信ケーブル外被面３０に巻き付けて接合することが可能であるが、その他にも粘着加工、接着加工、熱融着加工、縫製などの接合手段を用いて通信ケーブル外被面３０に接合することができる。
【００２４】
図１において、対撚線５０は２本の中心導体７０からなる絶縁体６０を撚りあわせて対にしたもので、１本の中心導体７０からなる絶縁体６０に比較してノイズの影響を受け難いという性質がある。
【００２５】
通信ケーブル１００は、単線と撚線の２種類がある。単線はサーバーからハブまでに対応でき、撚線はハブから本体まで対応ができる。本実施形態では、対撚線５０を用いた例を示した。
【００２６】
円筒導体に流れる電流は直流なら導体断面に一様に分布するが、周波数の増加と共に導体表面に集中し、内部の電流密度が減少する現象は表皮効果として知られている。表皮効果の結果として、導体の実効面積が減少し、交流抵抗が増加するのでコイル巻線では周波数の上昇と共に導体損失が増えクオリティファクターが低下する。この対策として中間周波トランス等の巻線として使用されてきたのがリッツ線で、これは、絶縁された複数の細い導体素線を集めて撚り合せたものである。
【００２７】
このように撚り合せた撚線とすることで、ノイズの影響を緩和させ、電気特性、特に高周波特性が安定するというメリットがある。従ってこの高周波特性を維持するために、通信ケーブル１００を結束する場合において通信ケーブル外被面３０にフックとループが混在した面ファスナーを通信ケーブル外被面に巻き付けて接合することで自己係合することが可能となり通信ケーブルの高周波特性を維持でき、通信ケーブルを破損することもなく束ねて整理することができ、狭い場所での作業性も向上させることができるという大きな効果が生じるのである。
【００２８】
通信ケーブル外被面３０の材料としては、ポリ塩化ビニル（ＰＶＣ）、ポリオレフィン系材料、ノンハロゲン難燃材料を用いることができ、また、被覆材料としてＪＩＳ  Ｃ３００５に制定される６０°傾斜燃焼試験に合格したものを使用することができる。さらに防鼠剤入りの材料を用いて、通信ケーブルを小動物から保護することも可能である。
【符号の説明】
【００２９】
１０      ループ状に起毛された係合素子
２０      フック状に起毛された係合素子
３０      通信ケーブル外被面
４０      緩衝層
５０      対撚線
６０      絶縁体
７０      中心導体
１００    通信ケーブル
【図１】
2015118847.tif 000003